(57)【要約】【課題】表示画面に長時間コントラストの強い映像を表示しても周辺温度に依存せずにエッジ焼き付きを抑制できる液晶表示装置の駆動方法および液晶表示装置を提供する。【解決方法】液晶３２に印加される電圧が正極側と負極側とに対称に極性反転するようにした駆動電圧を印加して各絵素Ｐを駆動することにより前記表示画面に映像を表示させるに際し、最低階調値または最高階調値の近傍の所定の階調値においては、液晶３２に一方の極性側の電圧が印加されるように前記絵素電極２６７に駆動電圧Ｖｓを印加する。【選択図】  図５
2008233132.tif 000002
【特許請求の範囲】
【請求項１】
液晶を介して互いに対向するように配置された絵素電極と対向電極を備えた絵素が表示画面にマトリクス状に配置され、前記対向電極には対向電圧を印加し、前記絵素電極には、液晶に印加される電圧が正極側と負極側とに対称に極性反転するようにした駆動電圧を印加して各絵素を駆動して前記表示画面に映像を表示させるに際し、
最低階調値または最高階調値の近傍の所定の階調値においては、液晶に一方の極性側の電圧が印加されるように前記絵素電極に駆動電圧を印加することを特徴とする液晶表示装置の駆動方法。
【請求項２】
前記所定の階調値において、前記絵素電極に印加される駆動電圧が、前記表示画面周辺の温度に基づいて補正されることを特徴とする請求項１に記載の液晶表示装置の駆動方法。
【請求項３】
前記一方の極性側が負極性側であることを特徴とする請求項１または２に記載の液晶表示装置の駆動方法。
【請求項４】
前記所定の階調値において、前記絵素電極に印加される駆動電圧が、前記周辺温度の上昇に伴って低くなるように補正することを特徴とする請求項１から３のいずれかに記載の液晶表示装置の駆動方法。
【請求項５】
前記所定の階調値は、ノーマリーブラックモードにおいては、最低階調値の近傍の所定の範囲の階調値であって、ノーマリーホワイトモードにおいては、最高階調値の近傍の所定の範囲の階調値であることを特徴とする請求項１から４のいずれかに記載の液晶表示装置の駆動方法。
【請求項６】
液晶を介して互いに対向するように配置された絵素電極と対向電極を備えた絵素がマトリクス状に配置されてなる表示画面と、
前記対向電極に対向電圧を印加する対向電圧印加手段と、
前記絵素電極に各絵素で表示されるべき階調値に対応する駆動電圧を印加する駆動電圧印加手段とを備えた液晶表示装置であって、
前記駆動電圧印加手段は、最低階調値または最高階調値の近傍の所定の階調値を除く階調値においては、前記液晶に印加される電圧が正極側と負極側とに対称に極性反転するように駆動電圧を印加するとともに、前記所定の階調値においては、前記液晶に一方の極性側の電圧が印加されるように駆動電圧を印加して各絵素を駆動することを特徴とする液晶表示装置。
【請求項７】
前記表示画面の周辺温度を検出する温度検出手段をさらに備え、前記駆動電圧印加手段は、前記温度検出手段によって検出された周辺温度に基づいて、前記駆動電圧を補正することを特徴とする請求項６に記載の液晶表示装置。
【請求項８】
前記一方の極性側が負極性側であることを特徴とする請求項６または７に記載の液晶表示装置の駆動方法。
【請求項９】
前記所定の階調値において、前記絵素電極に印加する駆動電圧を、前記周辺温度の上昇に伴って低くなるように補正することを特徴とする請求項６から８のいずれかに記載の液晶表示装置。
【請求項１０】
前記液晶表示装置がノーマリーブラックモードの場合は、前記所定の階調値が最低階調値の近傍の所定の範囲の階調値であって、
前記液晶表示装置がノーマリーホワイトモードの場合は、前記所定の階調値が最高階調値の近傍の所定の範囲の階調値であることを特徴とする請求項６から９のいずれかに記載の液晶表示装置。
【発明の詳細な説明】
【技術分野】
【０００１】
本発明は、液晶表示装置の駆動方法および液晶表示装置に関するものである。
【背景技術】
【０００２】
近年、コンピュータやテレビなどの電気製品の表示部として、たとえば液晶表示装置などの平面型の表示装置が広く用いられている。液晶表示装置は、一般に、微小な間隔をおいて対向して配設される二枚の基板を備え、これらの基板の間に液晶が充填される構成を有する。
【０００３】
このような液晶表示装置の表示画面上にマトリクス状に配置される各絵素は、一方の基板上に形成された絵素電極と他方の基板上に形成された対向電極とが液晶を介して互いに対向して配置される構成を有する。この対向電極に対向電圧が印加され、絵素電極にその絵素で表示されるべき階調値に応じた駆動電圧が印加されることで、この対向電極と絵素電極との間に電界が生じ、その電界によって液晶が配向して各絵素で所定の階調が表示される。
【０００４】
このように液晶に電界を印加するに際し、絵素電極または対向電極のいずれか一方の側の電圧が高い状態が続いて同じ方向の電界が液晶に印加され続けると、液晶中に含まれる微量のイオン性不純物が絵素電極側または対向電極側に凝集して表示画面全体に焼き付きが発生するという問題がある。このような表示画面全体への焼き付きを抑制するために、液晶に正極側と負極側に対称に極性反転された電圧が印加されるようにして液晶を駆動するフレーム反転駆動が適用されている。
【０００５】
このようなフレーム反転駆動においては、正極側と負極側とで液晶に印加される実効電圧が等しくなるように、すなわち、液晶に直流のバイアス電圧が印加されないように、対向電圧を調整する必要がある。しかしながら、常温で液晶に印加される実効電圧が正極側と負極側とで等しくなるように対向電圧を調整しても、液晶表示装置の周辺温度によって駆動電圧と対向電圧のバランスが崩れて液晶に直流のバイアス電圧が印加され液晶に同じ方向の電圧が印加され続けてしまう場合がある。このように液晶にバイアス電圧が印加されると、上記のようにイオン性不純物の凝集による表示画面全体の焼き付きを招くという問題がある。
【０００６】
このような問題に対し、例えば特許文献１および２に記載の液晶表示装置は、周辺温度に応じて対向電圧を調節して、液晶に印加される実効電圧が正極側と負極側とで等しくなるようにしている。
【０００７】
【特許文献１】特開平８−２６２４１３号公報
【特許文献２】特開２００５−２９２４９３号公報
【発明の開示】
【発明が解決しようとする課題】
【０００８】
しかしながら、上記のように表示画面全体への焼き付きの他に、表示画面に部分的に焼き付きが発生する場合がある。すなわち、図１１（ａ）に示すように、表示画面中１００に黒（最低階調）を表示する領域Ｂと白（最高階調）を表示する領域Ｗとが混在する映像を長時間表示し続けた後に、表示画面全体に中間調を表示すると、図１１（ｂ）に示すように、黒を表示していた領域と白を表示していた領域との境界に焼き付き１０２が発生するというような、エッジ焼き付きである。
【０００９】
このようなコントラストの強い映像を長時間表示した際に発生するエッジ焼き付きは、上記のようなフレーム反転駆動を適用した液晶表示装置であっても抑えることはできないという問題があった。また、表示画面全体への焼き付きは、仮に発生したとしても逆極性の電圧を液晶に印加する等して比較的容易に解消することができるが、エッジ焼き付きは、一度発生すると解消するのが非常に困難であるという問題があった。
【００１０】
そこで、本発明が解決しようとする課題は、表示画面に長時間コントラストの強い映像を表示してもエッジ焼き付きの発生しにくい液晶表示装置の駆動方法および液晶表示装置を提供することにある。また、周辺温度に依存せずにエッジ焼き付きを抑制できる液晶表示装置の駆動方法および液晶表示装置を提供することにある。
【課題を解決するための手段】
【００１１】
上記実状に鑑み、発明者らは鋭意研究を重ねた結果、このようなエッジ焼き付きは、階調値の異なる絵素において、液晶に印加される電圧の大きさが異なることにより、液晶中のイオン性不純物の移動速度が異なることに起因するものであることを知見し、本発明を完成させるに至った。
【００１２】
すなわち、本発明に係る液晶表示装置の駆動方法は、液晶を介して互いに対向するように配置された絵素電極と対向電極を備えた絵素が表示画面にマトリクス状に配置され、前記対向電極には対向電圧を印加し、前記絵素電極には、液晶に印加される電圧が正極側と負極側とに対称に極性反転するようにした駆動電圧を印加して各絵素を駆動して前記表示画面に映像を表示させるに際し、最低階調値または最高階調値の近傍の所定の階調値においては、液晶に一方の極性側の電圧が印加されるように前記絵素電極に駆動電圧を印加することを要旨とするものである。
【００１３】
また、本発明に係る液晶表示装置は、液晶を介して互いに対向するように配置された絵素電極と対向電極を備えた絵素がマトリクス状に配置されてなる表示画面と、前記対向電極に対向電圧を印加する対向電圧印加手段と、前記絵素電極に各絵素で表示されるべき階調値に対応する駆動電圧を印加する駆動電圧印加手段とを備えた液晶表示装置であって、前記駆動電圧印加手段は、最低階調値または最高階調値の近傍の所定の階調値を除く階調値においては、前記液晶に印加される電圧が正極側と負極側とに対称に極性反転するように駆動電圧を印加するとともに、前記所定の階調値においては、前記液晶に一方の極性側の電圧が印加されるように駆動電圧を印加して各絵素を駆動することを要旨とするものである。
【００１４】
ここで、前記絵素電極に印加される駆動電圧が、前記表示画面周辺の温度に基づいて補正されるようにすると好ましい。
【００１５】
また、前記所定の階調値が最低階調値の近傍の所定の範囲の階調値であると、絵素に電圧が印加されない状態において黒表示となるノーマリーブラックモードの液晶表示装置に好適であり、前記所定の階調値が最高階調値の近傍の所定の範囲の階調値であると、絵素に電圧が印加されない状態において白表示となるノーマリーブラックモードの液晶表示装置に好適である。
【発明の効果】
【００１６】
本発明によれば、液晶に印加される電圧が正極側と負極側とに対称に極性反転するようにした駆動電圧を印加して各絵素を駆動することにより前記表示画面に映像を表示させるに際し、最低階調値または最高階調値の近傍の所定の階調値においては、液晶に一方の極性側の電圧が印加されるように前記絵素電極に駆動電圧を印加しているので、液晶表示装置の表示画面に長時間にわたってコントラストの強い映像を表示する際に、各絵素の液晶に印加される電圧の大きさがそれぞれの絵素の階調によって大きく異ならないようにすることができる。したがって、各絵素における液晶中のイオン性不純物の移動速度の相違を低く抑えることができ、エッジ焼き付きを抑制することができる。
【００１７】
さらに、前記所定の階調値において、前記絵素電極に印加される駆動電圧が、前記所定の階調値においては、前記表示画面周辺の温度に基づいて補正されるようにすると、その液晶表示装置の表示画面の周辺温度が変化しても、エッジ焼き付きを抑制する効果を維持し続けることができる。
【発明を実施するための最良の形態】
【００１８】
以下、本発明の第一の実施形態に係る液晶表示装置の駆動方法について、図面を参照して詳細に説明する。図１は、この実施形態に係る液晶表示装置の駆動方法が適用される液晶表示装置の概略構成を示すブロック図である。図２は図１に示した液晶表示装置が備える液晶表示パネルの断面を示す図である。図３はこの液晶表示装置の１絵素分の等価回路を示す図である。図４は絵素に印加される電圧の時間変化の一例を示す図である。図５は、階調値と絵素に印加される電圧との関係を示すグラフである。
【００１９】
なお、この液晶表示装置は、一般的な表示装置と同様に、所定の周期で１画面分（フレーム）の映像信号が順次入力されて、その映像信号に対応する映像が順次表示されるものである。また、この各フレームの映像は、表示画面にマトリクス状に配置された絵素が順次選択されて、各絵素にそのフレームの映像に対応した階調値が書き込まれることで表示される。この１フレームの映像が表示される周期を、フレーム周期と称する。なお、本実施形態においては、液晶への電界無印加時に黒表示（最低階調）となるノーマリーブラックモードの液晶表示装置を適用して説明する。
【００２０】
液晶表示装置１は、図１に示すように、表示画面に多数の絵素Ｐがマトリクス状に配置された液晶表示パネル１０と、この液晶表示パネル１０に各絵素を順次選択するゲート電圧Ｖｇを供給するゲート駆動回路１２Ｇと、同じく液晶表示パネルに各絵素で表示されるべき階調値に対応する駆動電圧（以下、ソース電圧Ｖｓと称する。）を供給するソース駆動回路１２Ｓと、これらのゲート駆動回路１２Ｇおよびソース駆動回路１２Ｓを外部から入力される映像信号に基づいてコントロールするコントロール回路１４とを備えている。液晶表示パネル１０の表示画面上にマトリクス状に配置された各絵素Ｐは同じく表示画面上に縦横に設けられたゲート配線１６Ｇおよびソース配線１６Ｓを介してゲート駆動回路１２Ｇおよびソース駆動回路１２Ｓに接続されている。さらに、コントロール回路１４には、液晶表示パネル１０の背面側に配置された光源１８を駆動する光源駆動回路２０が接続されている。また、液晶表示パネル１０には、対向電圧Ｖｃｏｍを印加する対向電圧印加回路２２が接続されている。
【００２１】
この液晶表示パネル１０は、図２に示すように、一方の透明基板２４ａに多数の絵素電極２６がマトリクス状に配置されたアクティブマトリクス基板ＡＭと、他方の透明基板２４ｂに前記絵素電極２６と対向する対向電極２８（共通電極）およびカラーフィルタ３０Ｒ、３０Ｇ、３０Ｂ等が設けられたカラーフィルタ基板ＣＦとを所定の間隔で離間させた状態で対向させて貼り合わせ、その間に表示媒体として液晶３２を封入したものである。この液晶表示パネル１０の表示画面にマトリクス状に配置された各絵素Ｐは、液晶３２を介して互いに対向するように配置された絵素電極２６と対向電極２８とを備えており、絵素電極２６と対向電極２８の間の電位差によって生じる電界により液晶分子を配向させて光の透過率を変化させるものである。そして、液晶表示パネル１０の背面に配置された光源１８を駆動して液晶表示パネル１０を背面から照射すると、この照明光が各絵素Ｐを透過して表示画面に映像が表示される。
【００２２】
各絵素Ｐは、図３に示すように、絵素電極２６と対向電極２８との間に液晶３２が充填されてなる液晶容量ＣＬＣと、この液晶容量ＣＬＣに並列に接続された補助容量Ｃｓと、これらの液晶容量ＣＬＣおよび補助容量Ｃｓに接続されたスイッチング素子である薄膜トランジスタ３６（以下ＴＦＴと称す。）とを備えている。ＴＦＴ３６のゲート電極３６Ｇはゲート配線１６Ｇに、ソース電極３６Ｓはソース配線１６Ｓに、ドレイン電極３６Ｄは絵素電極２６に接続されている。また、ソース電極３６Ｓとドレイン電極３６Ｄとの間およびドレイン電極３６Ｄとゲート電極３６Ｇの間などには寄生容量Ｃｓｄ、Ｃｇｄが発生している。
【００２３】
図４に示すように、ある絵素Ｐのゲート電極３６Ｇに印加されるゲート電圧Ｖｇがオンになっている間（書き込み期間Ｔｏｎ）は、ＴＦＴ３６がオン状態になり、その絵素Ｐが選択された状態になる。そうすると、ソース電極３６Ｓに印加されているソース電圧Ｖｓが、ソース電極３６Ｓからドレイン電極３６Ｄを経て絵素電極２６に印加される。これにより液晶容量ＣＬＣおよび補助容量Ｃｓが充電されて、絵素電極２６の電圧Ｖｐと対向電圧Ｖｃｏｍとの電位差によって生じる電界により液晶が配向されて、印加されたソース電圧に対応する階調が表示される。
【００２４】
ソース電圧Ｖｓの反転中心（センター値Ｖｓｃ）から高電圧側Ｖｓｈまたは低電圧側Ｖｓｌでの大きさは各絵素Ｐで表示されるべき階調値に対応しており、所定のフレーム周期Ｔｖで高電圧側Ｖｓｈと低電圧側Ｖｓｌとに反転する。この表示画面に動画を表示する場合には、各絵素Ｐに表示される階調値はフレーム毎に異なるので、ソース電圧Ｖｓのセンター値Ｖｓｃからの大きさもフレーム毎に異なる。しかし以下においては、説明の便宜上、表示画面には固定パターンを表示しているものとし、高電圧側Ｖｓｈと低電圧側Ｖｓｌとの大きさは等しいものとして説明する。
【００２５】
ソース電極Ｖｓに高電圧側のソース電圧Ｖｓｈが印加されているときに、ゲート電圧Ｖｇが立ち上がると、ソース電圧Ｖｓｈが絵素電極２６に印加されて、液晶容量ＣＬＣおよび補助容量Ｃｓが充電される。そうすると、絵素電極２６の電圧Ｖｐは、ソース電圧Ｖｓまで上昇する。その後ゲート電圧Ｖｇが立ち下がるとＴＦＴ３６がオフ状態になり、液晶容量ＣＬＣおよび補助容量Ｃｓに充電された電荷が寄生容量Ｃｓｄ、Ｃｇｄに引き込まれる等して絵素電極２６の電圧Ｖｐに微小な電圧降下ΔＶ１が起きる。そして、次にＴＦＴ３６がオン状態になるまで、その状態が保持される。
【００２６】
このＴＦＴ３６が次にオン状態になるときには、ソース電圧Ｖｓはセンター値Ｖｓｃに対して逆の極性にすなわち低電圧側Ｖｓｌに反転されている。ＴＦＴ３６がオン状態になると、絵素電極２６の電圧Ｖｐはソース電圧Ｖｓｌまで下降する。そしてＴＦＴ３６がオフ状態になると、絵素電極２６の電圧Ｖｐは、寄生容量Ｃｓｄ、Ｃｇｄ等の影響により再び微小な電圧降下ΔＶ２を起こす。そして、次にＴＦＴ３６がオン状態になるまでその状態が保持される。
【００２７】
この、ソース電圧Ｖｓが高電圧側のときおよび低電圧側のときのそれぞれの場合において、ＴＦＴ３６がオフ状態になる前とオフ状態になった後の絵素電極の電圧Ｖｐの差をフィールドスルー電圧ΔＶ１、ΔＶ２と称する。また、以下の説明において液晶に印加される電圧とは、絵素電極電圧Ｖｐと対向電圧Ｖｃｏｍとの電位差を１フレーム期間積分した実効電圧のことをいう。また、絵素電極電圧Ｖｐが対向電圧Ｖｃｏｍより高い場合を、液晶３２に「正極性」の電圧が印加されていると称し、対向電圧Ｖｃｏｍが絵素電極電圧Ｖｐより高い場合を液晶３２に「負極性」の電圧が印加されていると称する。
【００２８】
ここで、本実施形態の液晶表示装置の駆動方法においては、液晶３２に印加される電圧が正極側と負極側とに対称に極性反転されるように、ソース電圧Ｖｓおよび対向電圧Ｖｃｏｍが印加される。ソース電圧Ｖｓにはフィールドスルー電圧ΔＶ１、ΔＶ２の分だけ電圧降下が起きるため、ソース電圧Ｖｓのセンター値Ｖｓｃと対向電圧Ｖｃｏｍとを一致させると絵素電極電圧Ｖｐの反転中心と対向電圧Ｖｃｏｍとがずれる。したがって、フィールドスルー電圧ΔＶ１、ΔＶ２によって決まる所定のシフト電圧Ｖｓｈｉｆｔ分だけセンター値Ｖｓｃを対向電圧Ｖｃｏｍからずらしてソース電圧Ｖｓを印加する。そうすると、図４に示すように、対向電圧の波形と絵素電極電圧Ｖｐの波形とに囲まれた領域の面積が対向電圧Ｖｃｏｍの正極側と負極側とで等しくなる。すなわち、液晶３２に印加される電圧が正極側と負極側とで対称になる。したがって、液晶に直流バイアス電圧ΔＶｄｃが印加されることがなく、液晶中のイオン性不純物の凝集による表示画面全体の焼き付きを防ぐことができる。また、フリッカの発生を抑えることができる。
【００２９】
また、このフィールドスルー電圧ΔＶ１、ΔＶ２は、液晶３２に印加される電圧等によって変化するため、液晶３２に印加される電圧が正極側と負極側とに対称に極性反転されるようにするためには、各階調値において、その階調値のフィールドスルー電圧ΔＶ１、ΔＶ２に対応するようにシフト電圧Ｖｓｈｉｆｔを変化させなければならない。以下、液晶３２に印加される電圧が正極側と負極側とに対称に極性反転されるソース電圧Ｖｓの極性反転の中心値（センター値Ｖｓｃ）を最適ソースセンター値Ｖｓｃ−ｏｐと称する。
【００３０】
この液晶表示パネル１０では、図５に示すように、階調値が低くなるのに伴ってフィールドスルー電圧ΔＶ１、ΔＶ２は大きくなる。したがって、対向電圧Ｖｃｏｍを一定にすると、最適ソースセンター値Ｖｓｃ−ｏｐは、階調値が低くなるのに伴って徐々に上昇する。ここでは、対向電圧が６．５Ｖのときに、最高階調値における最適ソースセンター値Ｖｓｃが７．７３Ｖであって、最低階調値における最適ソースセンター値Ｖｓｃ−ｏｐが８．０２Ｖである例を示す。
【００３１】
本実施形態に係る液晶表示装置の駆動方法によれば、後述する所定の階調値を除く階調値においては、液晶３２に印加される電圧を正極側と負極側に対称に反転させるために、ソース電圧Ｖｓのセンター値Ｖｓｃを、最適ソースセンター値Ｖｓｃ−ｏｐと一致するように変化させる。すなわち、階調値が低くなりソース電圧Ｖｓの正極側と負極側との差が小さくなるにしたがって、ソース電圧Ｖｓのセンター値Ｖｓｃを高くする。
【００３２】
一方、最低階調値の近傍の所定の階調値においては、液晶３２に一方の極性側の電圧が印加されるようにソース電圧ＶｓがＴＦＴ３６に印加される。本実施形態においては、最低階調値において、ソース電圧Ｖｓのセンター値Ｖｓｃが、最適ソースセンター値Ｖｓｃ−ｏｐよりも低く設定されている。図５に示すように、最低階調において最適ソースセンター値Ｖｓｃ−ｏｐは８．０２Ｖであるが、これに対してソース電圧Ｖｓは、６．９３Ｖ（高電圧側Ｖｓｈ）と７．８５Ｖ（低電圧側Ｖｓｌ）であり、センター値Ｖｓｃが７．３９Ｖである。
したがって、ソース電圧Ｖｓは高電圧側Ｖｓｈも低電圧側Ｖｓｌも最適ソースセンター値Ｖｓｃ−ｏｐよりも低く、液晶３２には一方の極性の電圧が印加される。すなわち、図５に示した例では、最適ソースセンター値Ｖｓｃ−ｏｐに対して最低階調値において、ソース電圧Ｖｓには−０．６３Ｖの直流バイアス電圧ΔＶｄｃが付加されていることになる。
【００３３】
このように、本発明の実施形態に係る液晶表示装置の駆動方法においては、所定の階調値を除く階調値においては、ソース電圧Ｖｓのセンター値Ｖｓｃを最適ソースセンター値Ｖｓｃ−ｏｐと一致させ、液晶３２に正極側と負極側とに対称に極性反転する電圧が印加されるようにし、かつ、最低階調値近傍の所定の階調値においては、ソース電圧Ｖｓを最適ソースセンター値Ｖｓｃ−ｏｐよりも低くして、液晶３２に一方の極性の電圧しか印加されないようにする。そうすると、最低階調値においては、液晶３２に正極側と負極側とに対称に極性反転する電圧が印加される場合に比べて、液晶３２に印加されるソース電圧Ｖｓの絶対値が直流バイアス電圧ΔＶｄｃの分だけ大きくなる。
【００３４】
従来のフレーム反転駆動では、全ての階調値において、液晶に正極側と負極側とに対称に極性反転する電圧が印加されるようにソース電圧のセンター値を最適ソースセンター値と一致させるようにしていたため、最低階調（黒）を表示する絵素の液晶に印加される電圧と、最高階調値（白）を表示する絵素の液晶に印加される電圧の差が大きかった。そうすると、図１２に示すように、液晶３２に印加される電圧が大きい絵素（白表示の絵素）では、液晶中のイオン性不純物Ｉは絵素電極１２６および対向電極１２８と平行な方向への移動速度ＶＩＷが小さくなり、液晶３２に印加される電圧が小さい絵素（黒表示の絵素）では、液晶中のイオン性不純物Ｉは絵素電極１２６および対向電極１２８と平行な方向への移動速度ＶＩＢが大きくなる。このイオン性不純物の移動速度ＶＩＷ、ＶＩＢの差により、黒表示の絵素と白表示の絵素が隣り合う部分でイオン性不純物Ｉの移動が停滞して凝集が起き、エッジ焼き付１０２を発生させていた。
【００３５】
しかし、本実施形態のように、液晶３２に印加される電圧が小さくなる最低階調値の近傍の所定の階調値において、ソース電圧のセンター値Ｖｓｃを最適ソースセンター値Ｖｓｃ−ｏｐからずらして液晶３２に一方の極性の電圧が印加されるようにすると、液晶３２に印加される電圧が、ソース電圧のセンター値Ｖｓｃと最適ソースセンター値Ｖｓａ−ｏｐとの間のズレの量（直流バイアス電圧ΔＶｄｃ）だけ大きくなる。したがって、図２に示すように、黒表示をする絵素と白表示をする絵素とで、液晶３２に印加される電圧の差が小さくなり、液晶中のイオン性不純物Ｉの絵素電極２６および対向電極２８と平行な方向への移動速度ＶＩＷ、ＶＩＢの差も小さくなる。そのため、黒表示の絵素と白表示の絵素が隣り合う部分においてもイオン性不純物Ｉの凝集が起きにくく、エッジ焼き付の発生を抑制することができる。
【００３６】
図６には、図５に示したソース電圧Ｖｓおよび対向電圧Ｖｃｏｍにより駆動される液晶表示パネル１０において、最低階調値において直流バイアス電圧ΔＶｄｃを変化させて、エッジ焼き付きが発生するまでの時間を測定した実施例を示す。なお、本実施例では温度６２℃の恒温槽内に液晶表示装置を設置して、図１１（ａ）に示されるような白（最高階調）と黒（最低階調）の２色の固定パターンを表示させてエッジ焼き付きが発生するまでの時間を測定した。
【００３７】
図６に示すように、直流バイアス電圧が０Ｖのとき、すなわち、従来のように、ソース電圧のセンター値Ｖｓｃが最適ソースセンター値Ｖｓｃ−ｏｐに設定されて液晶３２に直流バイアス電圧ΔＶｄｃが印加されない状態では、約２００時間でエッジ焼き付きが発生した。しかし、直流バイアス電圧ΔＶｄｃを−０．５Ｖ付加してソース電圧を印加すると、２０００時間以上経過しないとエッジ焼き付きが発生しなかった。
【００３８】
最低階調値における最適ソースセンター値Ｖｓｃ−ｏｐは８．０２Ｖであるので、ソース電圧に直流バイアス電圧ΔＶｄｃを−０．５Ｖ付加すると、ソース電圧のセンター値Ｖｓｃは７．５２Ｖになり、ソース電圧Ｖｓは７．９８Ｖ（高電圧側Ｖｓｈ）と７．０６Ｖ（低電圧側Ｖｓｌ）になる。このように、最適ソースセンター値Ｖｓｃ−ｏｐの一方の極性側（負極性側）のソース電圧Ｖｓがソース電極３６Ｓに印加されると、液晶３２には一方の極性の電圧しか印加されないことになる。このように、最低階調値の近傍の所定の階調値において、液晶３２に一方の極性側の電圧が印加されるようにすることで、エッジ焼き付きの発生を効果的に抑制することができる。
【００３９】
これに対し、ソース電圧Ｖｓに付加される直流バイアス電圧ΔＶｄｃが約−０．２Ｖ〜約０．８Ｖのときにはこのような効果はみられず、直流バイアス電圧ΔＶｄｃを付加しない場合とほぼ同じように約２００時間でエッジ焼き付きが発生した。例えば、直流バイアス電圧ΔＶｄｃが−０．２Ｖのときは、ソース電圧のセンター値Ｖｓｃは７．８２Ｖとなり、最適ソースセンター値Ｖｓｃ−ｏｐは８．０２Ｖよりも低くなる。しかし、ソース電圧Ｖｓは８．２８Ｖ（高電圧側Ｖｓｈ）と７．３６Ｖ（低電圧側Ｖｓｌ）であり、高電圧側のソース電圧Ｖｓｈは最適ソースセンター値Ｖｓｃ−ｏｐよりも高くなる。したがって、液晶３２に一方の極性側の電圧が印加されるようにはなっておらず、エッジ焼き付き抑制の効果が得られないものと考えられる。
【００４０】
また、図６に示した範囲では、直流バイアス電圧ΔＶｄｃが正極性のときにもエッジ焼き付き抑制の効果がみられなかった。例えば直流バイアス電圧ΔＶｄｃが＋０．５Ｖのときは、ソース電圧のセンター値Ｖｓｃは８．５２Ｖであり、ソース電圧は、８．９８Ｖ（高電圧側Ｖｓｈ）と８．０６Ｖ（低電圧側Ｖｓｌ）になり、最適ソースセンター値Ｖｓｃ−ｏｐよりも高いソース電圧Ｖｓのみが印加されるが、エッジ焼き付き抑制の効果がみられなかった。
【００４１】
これらのことより、液晶３２に一方の極性側の電圧Ｖｓが印加されるようにソース電圧Ｖｓを印加することによって、エッジ焼き付きの発生を効率よく抑制することができることがわかる。そして、本実施形態に係る液晶表示装置１については、特に負極性側においてエッジ焼き付きを抑制する効果があることがわかる。
【００４２】
ここで、従来から液晶表示装置の温度によって液晶やＴＦＴの電気的特性が変化するため、ＴＦＴがオフ状態になる際のフィールドスルー電圧ΔＶ１、ΔＶ２の大きさが変化することが知られている。そうすると、同じ階調値であっても、液晶表示装置の温度が変化すると最適ソースセンター値も変化する。
【００４３】
図７には、液晶表示パネル１０の表面温度を変化させるとともに、フリッカの発生が少なくなるように対向電圧Ｖｃｏｍを調節して、フリッカの最も少ない最適対向電圧Ｖｃｏｍ−ｏｐを測定した実施例を示す。なお、本実施例では恒温槽内に液晶表示装置１（上述のエッジ焼き付きの発生時間を測定した液晶表示装置と同じタイプのもの）を設置して、表示画面全体において所定の中間階調を表示させるソース電圧Ｖｓを印加し、種々の温度において対向電圧を調節して、フリッカの発生が最も少ない対向電圧Ｖｃｏｍを測定した。また、表示画面の周辺温度として、液晶表示パネル１０の表面の温度を測定した。
【００４４】
なお、上述したようにフリッカは、液晶３２に印加される電圧が正極側と負極側とに対称に極性反転しているとき、すなわち液晶３２に直流バイアス電圧ΔＶｄｃが印加されないときに最も少なくなる。そして、液晶３２に印加される電圧は対向電圧Ｖｃｏｍと絵素電極電圧Ｖｐの電位差であるので、液晶に印加される電圧を変化させるには対向電圧Ｖｃｏｍまたはソース電圧のいずれかを変化させればよい。この実験は便宜上対向電圧Ｖｃｏｍを変化させて液晶３２にかかる電圧を変化させて行った。
【００４５】
液晶表示パネル１０の表面温度が２０℃のときは、最適な対向電圧は６．０７Ｖであり、４０℃のときは６．０９Ｖ、６０℃のときは６．１５Ｖ、７０℃のときは６．１６Ｖであった。このように、この液晶表示装置１においては、液晶表示パネル１０の表面温度が上昇するに従って、最適な対向電圧Ｖｃｏｍ−ｏｐも上昇していることがわかる。すなわち、液晶表示パネル１０の表面温度が上昇すると、液晶３２に印加される電圧が正極側と負極側とに対称に極性反転するための最適対向電圧Ｖｃｏｍ−ｏｐが大きくなる。これをふまえると、本実施形態の液晶表示装置の駆動方法では、対向電圧Ｖｃｏｍが一定であるので、最適ソースセンター値Ｖｓｃ−ｏｐが低下するということになる。
【００４６】
図５に示した実施例では、常温（２０℃）においては、最低階調値の最適ソースセンター値Ｖｓｃ−ｏｐは８．０２Ｖであり、ソース電圧のセンター値Ｖｓｃは７．３９Ｖであり、−０．６３Ｖの直流バイアス電圧ΔＶｄｃが付加されている。ここで、例えば、図７に示した実施例によれば、液晶表示装置１の温度が６０℃になると、最適ソースセンター値Ｖｓｃ−ｏｐは０．０８Ｖ低下して７．９４Ｖになる。そうすると、ソース電圧のセンター値Ｖｓｃが７．３９Ｖのままでは、直流バイアス電圧ΔＶｄｃが−０．５５Ｖになってしまう。そこで、ソース電圧に温度補正電圧ΔＶＴとして−０．０８Ｖを付加してセンター値Ｖｓｃを７．３１Ｖにすることで−０．６３Ｖの直流バイアス電圧ΔＶｄｃが確保される。
【００４７】
液晶表示装置１の温度変化による最適対向電圧Ｖｃｏｍ−ｏｐの変化分（図７参照）だけソース電圧Ｖｓに温度補正電圧ΔＶＴを付加すれば、温度変化によらず最低階調値付近の所定の階調値においては、液晶３２に一方の極性側の電圧が印加されるようにすることができる。このように、表示画面周辺の温度に基づいてソース電圧Ｖｓを補正することで、液晶に印加される電圧を補正することができ、液晶表示装置１の周辺温度が変化してもエッジ焼き付きの発生を抑制する効果を維持し続けることができる。
【００４８】
なお、上記の実施例に示した液晶表示装置１では、最低階調値付近の所定の階調値において、液晶３２に一方の極性側の電圧が印加されたときに特にエッジ焼き付きを抑制する効果が認められたが、対向電圧Ｖｃｏｍとソース電圧Ｖｓの値や、液晶表示パネル自体の特性などの条件によっては、必ずしも液晶３２に一方の極性側の電圧が印加されるようにしなくとも、ソース電圧Ｖｓに所定の直流バイアス成分ΔＶｄｃを付加して、液晶に印加される電圧を正極側と負極側とにバランスを崩して反転させることで、若干の効果が期待できる。
【００４９】
次に、本発明の第２の実施形態に係る液晶表示装置について図面を参照して説明する。この液晶表示装置１は、上記第１の実施例に示した表示装置の駆動方法を適用して駆動されるものである。したがって、上記第１の実施例で説明したものと同一のものについては同一の符号を付して詳細な説明を省略する。
【００５０】
この液晶表示装置１は、図１に示すように、多数の絵素Ｐがマトリクス状に配置されてなる表示画面を備える液晶表示パネル１０と、対向電極２８に対向電圧Ｖｃｏｍを印加する対向電圧印加手段である対向電圧印加回路２２と、入力される映像信号に基づいてソース信号Ｓｓを生成するソース信号生成部およびゲート信号Ｓｇを生成するゲート信号生成部とを備え、これらのソース信号Ｓｓおよびゲート信号Ｓｇをソース駆動回路１２Ｓおよびゲート駆動回路１２Ｇに出力するコントロール回路１４と、ソース信号Ｓｓに基づいて各絵素Ｐに表示されるべき階調値に対応する駆動電圧（ソース電圧Ｖｓ）を生成するソース駆動回路１２Ｓと、ゲート信号Ｓｇに基づいて各絵素Ｐを順次選択するゲート電圧Ｖｇを生成するゲート駆動回路１２Ｇとを備えている。さらに、コントロール回路１４には、液晶表示パネル１０の背面に配置された光源１８を駆動する光源駆動回路２０が接続されている。なお、駆動電圧印加手段は、コントロール回路１４のソース信号生成部とソース駆動回路１２Ｓとを備えており、最低階調値または最高階調値の近傍の所定の階調値を除く階調値においては、対向電極２８と絵素電極２６の間の液晶３２に印加される電圧が正極側と負極側とに対称に極性反転するようにソース電圧Ｖｓを印加するとともに、最低階調値または最高階調値の近傍の所定の階調値においては、液晶に一方の極性側の電圧が印加されるようにソース電圧を印加して各絵素を駆動するものである。
【００５１】
図８には、コントロール回路１４のソース信号生成部またはソース駆動回路１２Ｓに設けられる階調基準電圧生成部のブロック図を示す。階調基準電圧生成部４０は、所定の抵抗比を備える複数の抵抗素子Ｒ、ＲＨ（Ｔ）、ＲＬ（Ｔ）が直列に接続されてなるラダー抵抗であり、各抵抗素子Ｒの抵抗比に基づいて分圧された電圧が中間出力端子ＶＨ２５５、ＶＨ１９１、ＶＨ１５９・・・ＶＬ１９１、ＶＬ２５５から出力される。この各中間出力端子ＶＨ２５５、ＶＨ１９１、ＶＨ１５９・・・ＶＬ１９１、ＶＬ２５５から出力された電圧をさらに分圧することにより、それぞれの階調値におけるソース電圧Ｖｓｈ、Ｖｓｌが生成される。
【００５２】
階調基準電圧生成部４０は、最低階調値近傍の所定の階調値を除く階調値においては、各絵素Ｐの液晶３２に印加される電圧が正極側と負極側とに対称に極性反転するようなソース電圧Ｖｓを生成できるように各抵抗素子Ｒの抵抗比が定められている。一方、最低階調値近傍の所定の階調値に対応する中間出力端子ＶＨ０およびＶＬ０からは、各絵素Ｐの液晶３２に一方の極性の電圧が印加されるように、抵抗比を補正できるようになっている。中間出力端子ＶＨ３１とＶＨ０の間および中間出力端子ＶＬ３１とＶＬ０の間には可変抵抗素子ＲＬ（Ｔ）、ＲＨ（Ｔ）が接続され、この可変抵抗ＲＬ（Ｔ）、ＲＨ（Ｔ）を変化させることによって中間出力端子ＶＨ０およびＶＬ０から出力される電圧を補正する。
【００５３】
なお、可変抵抗素子ＲＬ（Ｔ）、ＲＨ（Ｔ）を変化させるに際しては、ラダー抵抗の総抵抗値が変化しないように、一方の抵抗値を大きくしたら、同じだけ他方の抵抗値を小さくするようにして変化させる。このようにすれば、その他の中間出力端子ＶＨ２５５、ＶＨ１９１、ＶＨ１５９・・・ＶＬ１９１、ＶＬ２５５から出力される電圧を変化させないで、中間出力端子ＶＨ０およびＶＬ０から出力される電圧を補正することができる。
【００５４】
図８の階調基準電圧生成部には、液晶表示パネル１０の表示画面周辺の温度に基づいて中間出力端子ＶＨ０およびＶＬ０から出力される電圧を補正する温度補償回路４２ａが接続されている。この温度補償回路４２ａは液晶表示パネル１０の表示画面周辺に設けられた温度検出手段によって検出された周辺温度Ｔに基づいて可変抵抗素子ＲＬ（Ｔ）、ＲＨ（Ｔ）を調節することにより、ラダー抵抗の抵抗比を変化させて中間出力端子ＶＨ０およびＶＬ０から出力される電圧を補正する。
【００５５】
なお、液晶表示パネル１０の表示画面周辺の温度を検出する温度検出手段としては、例えば、サーミスタ、ダイオード、サイリスタ、熱電対などの従来一般に用いられてきた温度センサーが適用できる。これらの温度センサーは、液晶表示パネル１０の表示画面の液晶の温度が正確に測定できる部位に設けられるのが好ましい。例えば、液晶表示パネル１０の外側の面の表示画面の周辺部位に設けられると良い。また、対をなす透明基板２４ａ、２４ｂの互いに対向する面のいずれかに直接設けられるようにしても良い。この場合、温度センサーを例えばブラックマトリクスなどの遮光性の構造物に重ね合わせて形成することもできる。
【００５６】
このような液晶表示装置１によれば、表示画面周辺の温度変化に伴って最低階調値近傍の所定の階調値においてソース電圧Ｖｓを補正して、液晶３２に一方の極性側の電圧が印加されるようにすることができる。このように、表示画面周辺の温度に基づいてソース電圧Ｖｓを補正することで、液晶３２に印加される電圧を補正することができ、液晶表示装置１の周辺温度が変化してもエッジ焼き付きの発生を抑制する効果を維持し続けることができる。
【００５７】
続いて、本発明の第２の実施形態の変形例について説明する。この液晶表示装置１ａは上記第２の実施形態で示した液晶表示装置１の階調基準電圧生成部４０を変形したものであるので、ここでは階調基準電圧生成部４０ａについてのみ説明する。
【００５８】
図９に示される階調基準電圧生成部４０ａは、最低階調値近傍の所定の階調値を除く階調値においては、各絵素Ｐの液晶３２に印加される電圧が正極側と負極側とに対称に極性反転するようなソース電圧Ｖｓを生成できるように各抵抗素子Ｒの抵抗比が定められている。一方、最低階調値近傍の所定の階調値に対応する中間出力端子ＶＨ０およびＶＬ０からは、各絵素Ｐの液晶３２に一方の極性の電圧が印加されるように、電圧が出力される。中間出力端子ＶＨ０およびＶＬ０から出力される電圧には、温度補償回路４２ａから温度補正電圧ΔＶＴ、−ΔＶＴが付加されて補正される。この、温度補正電圧ΔＶＴ、−ΔＶＴを調節することにより、中間出力端子ＶＨ０およびＶＬ０から出力される電圧を補正する。
【００５９】
なお、温度補正電圧ΔＶＴ、−ΔＶＴを調節するに際しては、中間出力端子ＶＨ０およびＶＬ０から出力される電圧の一方の電圧を大きくしたら、他方の電圧を同じだけ減らすようにして変化させる。このようにすれば、その他の中間出力端子ＶＨ２５５、ＶＨ１９１、ＶＨ１５９・・・ＶＬ１９１、ＶＬ２５５から出力される電圧を変化させないで、中間出力端子ＶＨ０およびＶＬ０から出力される電圧だけを補正することができる。
【００６０】
以下、液晶表示パネル１０に接続された各回路について説明する。コントロール回路１４は、従来一般に用いられてきた表示制御用の電子回路が適用できるので、その構成については詳細な説明を省略し、一例を簡単に述べる。コントロール回路１４は、ソース信号生成部でありかつゲート信号生成部でもあるタイミングコントローラおよび電圧駆動回路などを備えている。また、入力画像信号には、水平同期信号、垂直同期信号、データ信号およびクロック信号などが含まれているものとする。タイミングコントローラは、入力されるクロック信号と水平同期信号および垂直同期信号に基づいてゲート駆動回路１２Ｇおよびソース駆動回路１２Ｓにゲート信号Ｓｇおよびソース信号Ｓｓを出力するとともに、電圧駆動回路を制御してゲート駆動回路１２Ｇおよびソース駆動回路１２Ｓに駆動電圧を供給する。
【００６１】
ゲート駆動回路１２Ｇは、コントロール回路１４の電圧駆動回路から出力された駆動電圧をタイミングコントローラが制御する所定の水平走査周期ＴＨに基づいて液晶表示パネル１０のゲート配線１６Ｇに印加して、そのゲート配線１６Ｇに接続された絵素ＰのＴＦＴ２６をオン状態にする。
【００６２】
ソース駆動回路１２Ｓは、コントロール回路１４の電圧駆動回路から出力された駆動電圧をゲート駆動回路１２Ｇによるゲート配線１６Ｇの走査に同期して表示内容に対応したソース電圧Ｖｓとしてソース配線１６Ｓに印加する。このソース駆動回路１２Ｓによるソース配線１６Ｓへのソース電圧Ｖｓの印加のタイミングはゲート駆動回路１２Ｇと同様にタイミングコントローラによって制御される。
【００６３】
対向電圧印加回路２２は、所定の定電圧を出力する定電圧回路であり、対向電極に接続されている。
【００６４】
このような構成を備える液晶表示装置１によれば、表示画面周辺の温度に基づいて、最低階調値近傍の所定の階調値においてソース電圧を補正して、液晶に一方の極性側の電圧が印加されるようにすることができる。これにより、液晶表示装置の周辺温度が変化してもエッジ焼き付きの発生を抑制する効果を維持し続けることができる。
【００６５】
次に、この液晶表示装置１または１ａの全体構造について説明する。図１０はこの液晶表示装置１または１ａの要部の構成を模式的に示した分解斜視図である。なお、説明の便宜上、図１０の上方を表示装置の「前面側」と称し、下方を「背面側」と称する。
【００６６】
図１０に示すように液晶表示装置１または１ａは、シャーシ５１と、反射シート５２と、光源１８と、サイドホルダ５４と、光学シート類５５と、フレーム５６と、液晶表示パネル１０と、ベゼル５８と、光源駆動回路基板６０と、光源駆動回路基板カバー６０ａと、コントロール回路基板５９と、駆動制御回路基板カバー５９ａとを備える。
【００６７】
これらのシャーシ５１、反射シート５２、光源１８、サイドホルダ５４、光学シート類５５、フレーム５６、液晶表示パネル１０、ベゼル５８、光源駆動回路基板カバー６０ａ、駆動制御回路基板カバー５９ａは、従来一般に知られている構成のものが適用できる。したがって以下簡単に説明し、詳細な説明は省略する。
【００６８】
シャーシ５１は略平板状の部材であり、たとえば金属の板材などによりプレス加工などを用いて形成される。
【００６９】
光源１８には、たとえば冷陰極管や熱陰極管などの蛍光管、キセノン管などの放電管、ＬＥＤなどの発光素子などといった、公知の各種光源が適用できる。ここでは、線状の冷陰極管が適用される構成を示す。
【００７０】
反射シート５２は、光源１８が発する光を乱反射する表面性状を有するシート状または板状の部材である。この反射シート５２は、たとえば発泡ＰＥＴ（ポリエチレンテレフタレート）などにより形成される。
【００７１】
サイドホルダ５４は、後述する光学シート類５５を配設するためのスペーサなどとして機能する部材である。このサイドホルダ５４は略棒状の部材であり、たとえば樹脂材料によって一体に形成される。
【００７２】
光学シート類５５は、光源１８が発する光の特性を調整するシート状の部材もしくは板状の部材、またはこのような部材の集合をいうものとする。光学シート類５５には、たとえば拡散板、拡散シート、偏光反射シート、レンズシートなどが含まれる。そして一般的には、これらが積み重ねられて用いられる。
【００７３】
フレーム５６は、光学シート類５５や液晶表示パネル１０などを保持および／または保護する機能などを有する部材である。このフレーム５６は、開口した略四辺形の形状を有し、たとえば樹脂材料などにより一体に形成される構成、樹脂材料などにより形成される複数の部品を組み合わせる構成、金属の板材によりプレス加工などを用いて形成される構成、金属の板材によりプレス加工などを用いて形成される部品などを組み合わせる構成、などが適用できる。
【００７４】
光源駆動回路基板６０は、前記光源駆動回路２０などが構築された回路基板である。光源駆動回路基板カバー６０ａは、光源駆動回路基板６０を覆う板状の部材であり、たとえば金属の板材などにより形成される。
【００７５】
液晶表示パネル１０は、図１０に示すように、その外周縁にはゲート駆動回路１２Ｇが実装された回路基板１２ｇａ（フィルム状のものも含む）や、ソース駆動回路１２Ｓが実装された回路基板１２ｓａ（フィルム状のものも含む）が装着される。
【００７６】
ベゼル５８は、液晶表示パネル１０を保護および／または保持するなどの機能を有する部材である。このベゼル５８は開口した略四辺形の形状を有する。たとえば樹脂材料により一体に形成される構成、樹脂材料などにより形成された部品を組み合わせる構成、金属の板材によりプレス加工などを用いて形成される構成、金属の板材によりプレス加工などを用いて形成された部材を組み合わせる構成、などが適用できる。
【００７７】
コントロール回路基板５９は、コントロール回路１４または１４ａなどが構築される回路基板である。コントロール回路基板カバー５９ａは、コントロール回路基板５９を覆う部材であり、たとえば金属の板材などにより形成される。
【００７８】
このような部材を備える表示装置１または１ａの組み付け構造は次のとおりである。
【００７９】
まずシャーシ５１の前面側に反射シート５２を配設する。そしてその前面側に光源１８を配設し、各光源１８の端部を覆うようにサイドホルダ５４を配設する。その前面側に光学シート類５５を配設し、さらにその前面側にフレーム５６を装着する。そしてフレーム５６の前面側に液晶パネル１０を配設し、その前面側にベゼル５８を装着する。
【００８０】
また、シャーシ５１の背面側には光源駆動回路基板６０とコントロール回路基板５９とを配設する。そして、光源駆動回路基板６０と各光源１８を電気的に接続するとともに、コントロール回路基板５９と液晶表示パネル１０に装着される回路基板とを電気的に接続する。そして光源駆動回路基板６０を覆うように光源駆動回路基板カバー１６ａを装着し、コントロール回路基板５９を覆うようにコントロール回路基板カバー５９ａを装着する。
【００８１】
このような液晶表示装置によれば、表示画面周辺の温度に基づいて、最低階調値近傍の所定の階調値においてソース電圧を補正して、液晶に一方の極性側の電圧が印加されるようにすることができる。これにより、液晶表示装置の周辺温度が変化してもエッジ焼き付きの発生を抑制する効果を維持し続けることができる。
【００８２】
以上、本発明の実施形態について説明したが、本発明はこうした実施形態に何ら限定されるものではなく、本発明の趣旨を逸脱しない範囲において、種々なる態様で実施できることはもちろんである。例えば、ソース電圧および対向電圧の具体的な値は液晶表示装置の特性によって種々なる設定が可能である。また、上記実施形態ではノーマリーブラックの液晶表示装置で黒表示の際に表示モードとリフレッシュモードを切り換えるが、ノーマリーホワイトの液晶表示装置であれば白表示のときに表示モードとリフレッシュモードとを切り換えるようにすると良い。
【図面の簡単な説明】
【００８３】
【図１】本発明の実施形態に係る表示装置の駆動方法により駆動される液晶表示装置の構成を示すブロック図である。
【図２】図１に示した液晶表示装置が備える液晶表示パネルの断面を示す図である。
【図３】図１に示した液晶表示装置の１絵素分の等価回路を示す図である。
【図４】絵素に印加される電圧の時間変化の一例を示す図である。
【図５】階調値と絵素に印加される電圧との関係を示すグラフである。
【図６】直流バイアス電圧ΔＶｄｃの変化に伴うエッジ焼き付きが発生するまでの時間の変化を示すグラフである。
【図７】パネル表面温度と最適対向電圧との関係を示す図である。
【図８】階調基準電圧生成部のブロック図である。
【図９】図８に示す階調基準電圧生成部の変形例を示すブロック図である。
【図１０】本発明の実施形態にかかる表示装置の構成を模式的に示した分解斜視図である。
【図１１】従来の液晶表示装置の駆動方法により発生するエッジ焼き付きを説明する図である。
【図１２】従来の液晶表示装置の駆動方法により駆動される液晶表示装置の断面を示す図である。
【符号の説明】
【００８４】
１ 液晶表示装置
１０ 液晶表示パネル
１２Ｓ ソース駆動回路
１２Ｇ ゲート駆動回路
１４ コントロール回路
１６Ｓ ソース配線
１６Ｇ ゲート配線
２２ 対向電圧印加回路
２６ 絵素電極
２８ 対向電極
３２ 液晶
３６ ＴＦＴ
３６Ｓ ソース電極
３６Ｇ ゲート電極
３６Ｄ ドレイン電極
４０ 階調基準電圧生成部
４２、４２ａ 温度補償回路
Ｃｇｄ、Ｃｓｄ 寄生容量
【図１】
2008233132.tif 000003
【図２】
2008233132.tif 000004
【図３】
2008233132.tif 000005
【図４】
2008233132.tif 000006
【図５】
2008233132.tif 000007
【図６】
2008233132.tif 000008
【図７】
2008233132.tif 000009
【図８】
2008233132.tif 000010
【図９】
2008233132.tif 000011
【図１０】
2008233132.tif 000012
【図１１】
2008233132.tif 000013
【図１２】
2008233132.tif 000014